(57)【要約】【課題】複数のタイルを組み合わせて施工する手間がなく、一枚のタイルの中に既に異なるタイル表面が存在し、一装飾材アイテムとして部分的使用にも好適なタイルを提供する。【解決手段】本考案のタイル１は、第１のタイル表面２と、第１のタイル表面２内に区画して設けられた第２のタイル表面３とを有している。このため、複数のタイルを組み合わせて施工する手間を要せず、既に一枚のタイルに複数のタイル表面が存在して、一装飾材アイテムとして部分的使用にも好適なタイルとなる。【選択図】図２
0003105258.tif 000002
【実用新案登録請求の範囲】
【請求項１】
第１のタイル表面と、前記第１のタイル表面内に区画して設けられた第２のタイル表面とを有することを特徴とするタイル。
【請求項２】
第１のタイル表面と、前記第１のタイル表面内に区画して設けられた第２のタイル表面とを有するタイルであって、前記第２のタイル表面を有する第２のタイルは、前記第１のタイル表面を有する第１のタイルの表面側に張り付けられていることを特徴とするタイル。
【請求項３】
第１のタイル表面と、前記第１のタイル表面内に区画して設けられた第２のタイル表面とを有するタイルであって、前記第２のタイル表面を有する第２のタイルは、前記第１のタイルの表面側に設けられた凹部内に嵌入されて張り付けられていることを特徴とするタイル。
【請求項４】
前記第２のタイルは、前記凹部内に接着剤を介して固着されている請求項３に記載のタイル。
【請求項５】
前記第１のタイル表面と前記第２のタイル表面は、略面一に形成されている請求項１ないし４のいずれかに記載のタイル。
【請求項６】
前記第２のタイル表面は、前記第１のタイル表面に複数設けられている請求項１ないし５のいずれかに記載のタイル。
【請求項７】
前記第１のタイルの前記凹部は凹条部であり、前記第２のタイルは、該凹条部内に複数嵌入されて張り付けられている請求項３ないし６のいずれかに記載のタイル。
【請求項８】
前記第１のタイルと前記第２のタイルは、異なる種類のタイルである請求項２ないし７のいずれかに記載のタイル。
【考案の詳細な説明】
【技術分野】
【０００１】
本考案は、内外装飾材として使用されるタイルに関するものである。
【背景技術】
【０００２】
従来より、内外装飾材として使用されるタイルには多種多様なものが存在し、同種同色のタイルを複数組み合わせたり、色調の異なる同種タイルを組み合わせたり、複数種のタイルを組み合わせたりして、床面や壁面等を構成している。すなわち、従来は一つのタイル面を有するタイルを複数隣接配置して組み合わせて模様等を形成し床面や壁面等を構成していた。
【考案の開示】
【考案が解決しようとする課題】
【０００３】
しかし、近年、嗜好の多様化により、和洋等様々なタイルを効果的に組み合わせて建造物のアクセントとして部分的に使用するなど、自由な組み合わせによる、柔軟で、かつ変化に富んだタイルが求められている。
【０００４】
本願考案者は、このような変化に富むタイルの一つとして、一枚のタイルの中に複数のタイル表面が存在する本考案を想起したものであり、すなわち、本考案の課題は、複数のタイルを組み合わせて施工する手間がなく、一枚のタイルの中に既に異なるタイル表面が存在し、一装飾材アイテムとして部分的使用にも好適なタイルを提供することにある。
【課題を解決するための手段】
【０００５】
上記課題を解決するものは、第１のタイル表面と、前記第１のタイル表面内に区画して設けられた第２のタイル表面とを有することを主要な特徴とするタイルである。
【０００６】
また、上記課題を解決するものは、第１のタイル表面と、前記第１のタイル表面内に区画して設けられた第２のタイル表面とを有するタイルであって、前記第２のタイル表面を有する第２のタイルは、前記第１のタイル表面を有する第１のタイルの表面側に張り付けられていることを特徴とするタイルである。
【０００７】
さらに、上記課題を解決するものは、第１のタイル表面と、前記第１のタイル表面内に区画して設けられた第２のタイル表面とを有するタイルであって、前記第２のタイル表面を有する第２のタイルは、前記第１のタイルの表面側に設けられた凹部内に嵌入されて張り付けられていることを特徴とするタイルである。
【０００８】
前記第２のタイルは、前記凹部内に接着剤を介して固着されていることが好ましい。前記第１のタイル表面と前記第２のタイル表面は、略面一に形成されていることが好ましい。前記第２のタイル表面は、前記第１のタイル表面に複数設けられていてもよい。前記第１のタイルの前記凹部は凹条部であり、前記第２のタイルは、該凹条部内に複数嵌入されて張り付けられていてもよい。前記第１のタイルと前記第２のタイルは、異なる種類のタイルであることが好ましい。
【考案の効果】
【０００９】
請求項１に記載の考案によれば、複数のタイルを組み合わせて施工する手間がなく、一枚のタイルの中に既に異なるタイル表面が存在し、一装飾材アイテムとして部分的使用にも好適なタイルとなる。
請求項２に記載の考案によれば、原材料や焼成温度等が異なるタイル同士を組み合わせてより変化に富むタイルを作製できる。
請求項３に記載の考案によれば、第２のタイルを第１のタイルにより固定できる。
請求項４に記載の考案によれば、第２のタイルを第１のタイルにより強固に固定できる。
請求項５に記載の考案によれば、タイル表面が略平面となるタイルを作製できる。
請求項６に記載の考案によれば、第１のタイル表面内に複数の第２のタイル表面が存在し、より変化に富んだタイルを作製できる。
請求項７に記載の考案によれば、第１のタイル表面内に第２のタイル表面が線状に配され、より変化に富んだタイルを作製できる。。
請求項８に記載の考案によれば、異なる種類のタイル表面が存在し、より変化に富んだタイルを作製できる。
【考案を実施するための最良の形態】
【００１０】
本考案のタイル１は、第１のタイル表面２と、第１のタイル表面２内に区画して設けられた第２のタイル表面３とを有している。以下、図面に示した本考案の一実施例を用いて、各構成について順次詳述する。
【実施例１】
【００１１】
図１は、本考案のタイルの一実施例の平面図であり、図２は、図１のＡ−Ａ線断面図であり、図３を図１に示したタイルの作製方法を説明するための斜視図である。
【００１２】
第１のタイル表面２は、図１に示すように、第１のタイル４の表面で構成されており、第２のタイル表面３は、第２のタイル５の表面で構成されている。第２のタイル表面３は、第１のタイル表面２内においてその一部を区画するように設けられている。
【００１３】
なお、この実施例では、第２のタイル表面３を有する第２のタイル５が、第１のタイル表面２を有する第１のタイル４の表面側に張り合わされることにより、第１のタイル表面２内に区画して設けられた第２のタイル表面３が形成されている。
【００１４】
ただし、本考案は、第１のタイル表面を有する第１のタイルに、第２のタイル表面を有する第２のタイルを張り合わせたものに限定されるものではなく、第１のタイル表面と、第１のタイル表面内に区画して設けられた第２のタイル表面を有するタイルを広く包含するものであり、例えば、複数のタイルを組み合わせず、第１のタイルにおける第１のタイル表面内に、釉薬の異なる、或いは釉薬の有無との差による第２の表面を区画して設けたタイルなども本考案の範疇に包含される。
【００１５】
また、この実施例の第１のタイル４は、無釉タイルで構成されているため、第１のタイル表面はレンガ調或いは土ものタイル調となっている。他方、第２のタイル５は施釉タイルにて構成されており、第２のタイル表面３は光沢を有したタイル面となっている。ただし、本考案はこれに限定されるものでなく、第１のタイルまたは第２のタイルは、どのような陶磁器質タイル（例えば、磁器質タイル、せっき質タイル、陶器質タイル、土器質タイルなど）で構成されていてもよい。なお、本願請求項８に記載された「異なる種類のタイル」とは、基材層の原材料、釉薬の種類、焼成温度のいずれかが異なるタイルを言う。
【００１６】
そして、第２のタイル５は、図２に示すように、第１のタイル４の表面側に設けられた凹部６内に嵌入されている。より具体的には、第２のタイル５は、凹部６内に接着剤７を介して固着されている。接着剤７としては、第２のタイル５が第１のタイル４より分離しない程度に固着できるものであればどのようなものでもよいが、タイル張り用モルタルやエポキシ樹脂などが好適に使用できる。
【００１７】
この実施例の凹部６は、焼成した第１のタイル４の表面側を切削して形成されているが、これに限定されるものではなく、焼成前の成形時（通常はプレス成形時）に凹部６が形成されてもよい。
【００１８】
また、この実施例のタイルの凹部６は、図３に示すように、第１のタイル４の長手方向の中央付近を横断した設けられた凹条部であり、第２のタイル５は、この凹条部内に複数（２１枚）嵌入されている。
【００１９】
ただし、凹部の形態は、嵌入する第２のタイルの形態に対応して、第２のタイルを嵌入できる形態であればどのような形態でもよく、例えば、複数の凹部が形成され、第２のタイル表面が第１のタイル表面に点在して複数設けられたものでもよく、また、異なる形態の凹部が複数形成されて、それらの凹部に形態や表面態様の異なる第２のタイルがそれぞれ嵌入されたものなどでもよい。
【００２０】
また、この実施例の凹部６の深さは、第１のタイル表面２と第２のタイル表面３とが略面一となるように、第２のタイル５の厚みと略同一に形成されているが、これに限定されるものではなく、例えば、第２のタイル表面３が第１のタイル表面２より若干突出するように、凹部を第２のタイルの厚みより小さくしたようなものも本考案の範疇に包含される。
【００２１】
さらに、この実施例の第１のタイル４は二丁掛けタイルで構成され、他方、第２のタイル５は１０ｍｍ角タイルであるが、これに限定されるものではなく、第１のタイルのタイル表面内に、第２のタイルのタイル表面を配することができる組み合わせのものであれば、どのような寸法のサイズの組み合わせでもよい。
【００２２】
この実施例のタイル１の作製方法としては、基材となる第１のタイル４と第２のタイルをそれぞれ焼成して形成し、つぎに、図３に示すように、第１のタイル４の表面側に切削機を用いて凹部６を形成し、さらに、凹部６の内面に接着剤を塗布した後、凹部６内に第２のタイル５を嵌入して作製されている。
【００２３】
この実施例のタイル１の使用方法（施工方法）としては、図２に示すように、第１のタイル４が裏面側に裏足８（係止部）を有しているため、通常のタイルと同様である。なお、このタイル１は、建物の胴差部を構成する装飾材として使用して好適なタイルである。
【図面の簡単な説明】
【００２４】
【図１】本考案のタイルの一実施例の平面図である。
【図２】図１のＡ−Ａ線断面図である。
【図３】図１に示したタイルの作製方法を説明するための斜視図である。
【符号の説明】
【００２５】
１    タイル
２    第１のタイル表面
３    第２のタイル表面
４    第１のタイル
５    第２のタイル
６    凹部
７    接着剤
８    裏足
【図１】
0003105258.tif 000003
【図２】
0003105258.tif 000004
【図３】
0003105258.tif 000005